(57)【要約】【課題】枝線を折り曲げた場合に当該枝線が幹線に干渉しないワイヤハーネス用プロテクタを提供する。【解決手段】ワイヤハーネス用プロテクタは、底板４２と底板４２の一方の縁から立ち上がっている第１側板４４と底板４２の他方の縁から立ち上がっている第２側板４６とを備えている。これら底板４２、第１側板４４、及び第２側板４６によりワイヤハーネスの幹線１００を収容するための収容通路４０が区画されている。第１側板４４には、幹線１００から分岐した枝線１１０を収容通路４０から外部に引き出すための切欠部４５が設けられている。第１側板４４における収容通路４０側の面である通路形成面４４ａからは、突出部７０が突出している。【選択図】図４
2018191378.tif 000002
【特許請求の範囲】
【請求項１】
底板と前記底板の一方の縁から立ち上がっている第１側板と前記底板の他方の縁から立ち上がっている第２側板とを備え、前記底板及び前記第１側板及び前記第２側板によりワイヤハーネスの幹線を収容するための収容通路が区画されているワイヤハーネス用プロテクタであって、
前記第１側板には、前記幹線から分岐した枝線を前記収容通路から外部に引き出すための切欠部が設けられており、
前記第１側板における前記収容通路側の面である通路形成面からは、突出部が突出しているワイヤハーネス用プロテクタ。
【請求項２】
請求項１に記載のワイヤハーネス用プロテクタであって、
前記突出部は、前記第１側板の延設方向における前記切欠部とは反対側に、前記切欠部側に向かうほど前記通路形成面から遠ざかるように傾斜する傾斜面を備えているワイヤハーネス用プロテクタ。
【請求項３】
請求項１または２に記載のワイヤハーネス用プロテクタであって、
当該ワイヤハーネス用プロテクタは樹脂成形物であり、
前記突出部は、前記第１側板の立ち上がり方向に延びているとともに中空形状になっているワイヤハーネス用プロテクタ。
【請求項４】
請求項１〜３のいずれか一項に記載のワイヤハーネス用プロテクタであって、
前記切欠部は、前記第１側板の延設方向において、前記第１側板の中央よりも一方側に位置しており、
前記突出部は、前記第１側板における前記一方側の端部と前記切欠部との間に位置しているワイヤハーネス用プロテクタ。
【請求項５】
請求項１〜４のいずれか一項に記載のワイヤハーネス用プロテクタであって、
前記突出部は、前記通路形成面における、前記第１側板の立ち上がり方向の全域に亘って形成されているワイヤハーネス用プロテクタ。
【発明の詳細な説明】
【技術分野】
【０００１】
この発明は、ワイヤハーネス用プロテクタに関する。
【背景技術】
【０００２】
特許文献１に開示されているワイヤハーネス用プロテクタのプロテクタ本体は、底板と底板の縁から立ち上がる一対の側板とを備えている。これら底板と一対の側板とによりワイヤハーネスの幹線が収容される収容通路が区画されている。また、プロテクタ本体の側板の一部には切欠部が設けられている。この切欠部を通じて、幹線から分岐した枝線が収容通路の外部に引き出されている。
【先行技術文献】
【特許文献】
【０００３】
【特許文献１】特開平１１−１５０８３２号公報
【発明の概要】
【発明が解決しようとする課題】
【０００４】
特許文献１に開示されているようなワイヤハーネス用プロテクタにおいて、収容通路から切欠部を介して外部に引き出されている枝線を、プロテクタ本体の底板に対して立ち上がるように折り曲げることがある。しかしながら、収容通路内における幹線と、プロテクタ本体の側板との位置関係によっては、折り曲げられた枝線が幹線に干渉して枝線を所定の位置にまで折り曲げることができなかったり、枝線に過度な負担がかかったりすることがある。したがって、ワイヤハーネス用プロテクタにおいては、枝線を折り曲げた場合に当該枝線が幹線に干渉しないような構造が求められる。
【課題を解決するための手段】
【０００５】
上記課題を解決するためのワイヤハーネス用プロテクタは、底板と底板の一方の縁から立ち上がっている第１側板と底板の他方の縁から立ち上がっている第２側板とを備え、底板及び第１側板及び第２側板によりワイヤハーネスの幹線を収容するための収容通路が区画されている。第１側板には、幹線から分岐した枝線を収容通路から外部に引き出すための切欠部が設けられており、第１側板における収容通路側の面である通路形成面からは、突出部が突出している。
【０００６】
この構成においては、収容通路に収容される幹線を、突出部によって第１側板の通路形成面から離れた位置に配置できる。そのため、切欠部が設けられている第１側板の通路形成面と幹線との間に相応のスペースを確保できる。したがって、第１側板の切欠部から引き出されている枝線を、底板に対して立ち上がるように折り曲げたとしても、枝線が幹線と干渉しにくい。その結果、枝線を無理なく折り曲げることができるとともに折り曲げた枝線に過度な負担がかかったりすることもない。
【０００７】
ワイヤハーネス用プロテクタにおいて、突出部は、第１側板の延設方向における切欠部とは反対側に、切欠部側に向かうほど通路形成面から遠ざかるように傾斜する傾斜面を備えていることが好ましい。
【０００８】
ワイヤハーネス用プロテクタの収容通路から外部へと引き出された幹線は、他の部材に接続される。そのため、幹線は、第１側板の延設方向において切欠部とは反対側、すなわち幹線の出入り口側ほど移動が拘束されている蓋然性が高い。そして、このような幹線に突出部を当接させると、突出部における切欠部とは反対側の箇所で突出部と幹線とが強く当接することになる。
【０００９】
上記の構成においては、突出部における切欠部とは反対側に傾斜面が設けられているため、幹線と突出部とを面で当接させることができる。したがって、突出部における切欠部とは反対側の箇所が幹線と強く当接したとしても、幹線が傷付くことは抑制できる。
【００１０】
ワイヤハーネス用プロテクタは、樹脂成形物であり、突出部が、第１側板の立ち上がり方向に延びているとともに中空形状になっていることが好ましい。
この構成においては、突出部を中空形状とすることで、突出部の第１側板からの突出量に比して突出部の肉厚を薄くできる。こうして突出部の肉厚を薄くすることで、ワイヤハーネス用プロテクタの製造時に、突出部にひけが発生することを抑制できる。
【００１１】
ワイヤハーネス用プロテクタにおいて、切欠部は、第１側板の延設方向において、第１側板の中央よりも一方側に位置しており、突出部は、第１側板における前記一方側の端部と切欠部との間に位置していることが好ましい。
【００１２】
上述したように、ワイヤハーネス用プロテクタの収容通路に収容されている幹線は、収容通路の出入口側ほど移動が拘束されている蓋然性が高い。その一方で、収容通路内において出入口側から離れた位置においては、幹線が比較的に移動しやすく、第１側板の通路形成面から離れた位置に移動できる余地がある。
【００１３】
上述の構成においては、切欠部が第１側板における一方側に寄せて配置されている。そのため、第１側板の切欠部よりも一方側において幹線が移動しにくい。このような箇所に突出部を設けて、第１側板の通路形成面と幹線との間の離間距離を確保することは、特に有効である。
【００１４】
ワイヤハーネス用プロテクタにおいて、突出部は、通路形成面における、第１側板の立ち上がり方向の全域に亘って形成されていることが好ましい。
この構成によれば、突出部が幹線と接触可能となる高さの範囲が、第１側板の高さ全体となる。そのため、収容される幹線の径や形状に拘らず、確実に突出部を幹線に当接させて、第１側板の通路形成面と幹線との間のスペースを確保できる。
【発明の効果】
【００１５】
本発明によれば、ワイヤハーネス用プロテクタの収容通路から外部へと延びる枝線を折り曲げた場合に当該枝線が幹線に干渉しにくい。
【図面の簡単な説明】
【００１６】
【図１】ワイヤハーネス用プロテクタの分解斜視図。
【図２】枝線保持片を閉じた状態におけるプロテクタ本体の斜視図。
【図３】図２の３−３線矢視方向の断面図。
【図４】幹線及び枝線を収容した状態のプロテクタ本体の上面図。
【図５】図４の５−５線矢視方向の断面図。
【図６】突出部を備えていないプロテクタ本体の断面図。
【発明を実施するための形態】
【００１７】
以下、ワイヤハーネス用プロテクタの一実施形態について、図１〜図５を参照して説明する。
図１に示すように、ワイヤハーネス用プロテクタ１０は、プロテクタ本体３０と、そのプロテクタ本体３０を上側から覆う蓋体２０とを備えている。なお、プロテクタ本体３０と蓋体２０は共に樹脂成形物である。
【００１８】
図１〜図３に示すように、プロテクタ本体３０は、板状の底板４２を備えている。底板４２は、平面視すると略Ｌ字状に延びている。底板４２におけるＬ字の外側の縁からは、板状の第１側板４４が上側に向かって立ち上がっている。第１側板４４は、底板４２におけるＬ字の外側の縁の略全域に亘って延設されている。底板４２におけるＬ字の内側の縁からは、板状の第２側板４６が上側に向かって立ち上がっている。第２側板４６は、底板４２におけるＬ字の内側の縁の全域に亘って延設されている。第２側板４６における底板４２からの立ち上がり長さは、第１側板４４における底板４２からの立ち上がり長さと同じになっている。プロテクタ本体３０においては、底板４２、第１側板４４、及び第２側板４６によって、上側に開放する収容通路４０が区画されている。また、プロテクタ本体３０においては、底板４２のＬ字の両端においても収容通路４０が開放されており、この両端の開口４８が収容通路４０に収容される幹線１００を外部に引き出すための幹線引出口になっている。
【００１９】
図１，図３に示すように、第１側板４４には、当該第１側板４４の上端から下側に向かって切欠部４５が切り欠かれている。切欠部４５は略四角形状になっており、その下端は底板４２にまで至っている。すなわち、切欠部４５は、第１側板４４を上下方向全体に亘って四角形状に切り欠いたような形状になっている。切欠部４５は、Ｌ字状の第１側板４４の延設方向において、第１側板４４の中央よりも一方の端部側（開口４８側）に位置している。以下、上記一方側の開口４８を切欠側開口４８ａと称する。
【００２０】
図１，図３に示すように、底板４２のＬ字の外側の縁のうち、切欠部４５の下端部に対応する位置には、薄肉部４７を介して枝線保持片６０が連結されている。枝線保持片６０は、全体としては四角形板状になっている。底板４２のＬ字の外側の縁に沿う方向における枝線保持片６０の寸法（この実施形態では短手方向の寸法）は、底板４２のＬ字の外側の縁に沿う方向における切欠部４５の寸法と略同じになっている。また、枝線保持片６０の底板４２からの延出長さ（この実施形態では長手方向の長さ）は、第１側板４４の立ち上がり寸法よりも長くなっている。薄肉部４７は、底板４２及び枝線保持片６０よりも厚みが小さくなっていて曲げ強度が弱くなっている。すなわち、薄肉部４７は、枝線保持片６０を底板４２のＬ字の外側の縁に対して回動させるためのヒンジとして機能する。
【００２１】
図１，図５に示すように、枝線保持片６０は、その長手方向の一方側と他方側とで厚みの異なる板状に形成されている。枝線保持片６０における、底板４２に連結されている側である基端側の部分は、厚みの小さい薄板部６２となっている。枝線保持片６０における、基端側とは反対側である先端側の部分は、厚みの大きい厚板部６４となっている。薄板部６２と厚板部６４は、これらの裏側の面（枝線保持片６０を収容通路４０に対して外側に開いた状態では下側の面）において面一となっており、表側の面において高さが異なっている。なお、薄板部６２と厚板部６４の表側の面は、切欠部４５を閉じる位置まで枝線保持片６０を起こし上げた状態では、収容通路４０側を向く面である。
【００２２】
図１に示すように、薄板部６２の表側の面には、当該薄板部６２の厚み方向に凹んだ溝である浅溝部６２ａが２列形成されている。これらの浅溝部６２ａは、枝線保持片６０の短手方向に並んでおり、薄板部６２の全長に亘って続いている。
【００２３】
厚板部６４の表側の面には、当該厚板部６４の厚み方向にＵ字状に凹んだ溝である深溝部６４ａが２列形成されている。これらの深溝部６４ａは、薄板部６２のそれぞれの浅溝部６２ａと同一直線上に形成され、厚板部６４の全長に亘って続いている。深溝部６４ａは、浅溝部６２ａよりも深い溝となっている。
【００２４】
図１に示すように、プロテクタ本体３０には、切欠側開口４８ａにおける第１側板４４の側の下角部から第１側板４４の延設方向に突出した幹線固定部５０が設けられている。幹線固定部５０は、上記下角部に丸みを持たせた湾曲形状になっていて、第１側板４４の下部から底板４２における第１側板４４側の一部に亘って延びている。幹線固定部５０の湾曲の外面５０ａにおける上端には、外側へ張り出したバンド取付部５２が形成されている。バンド取付部５２には、上下方向に貫通孔５２ａが貫通されている。
【００２５】
図１〜図３に示すように、第１側板４４における収容通路４０側の面である通路形成面４４ａからは、第２側板４６の側へ向かって突出部７０が突出している。突出部７０は、第１側板４４の通路形成面４４ａのうち、切欠側開口４８ａと切欠部４５との間の箇所から突出している。この実施形態では、特に、突出部７０は、切欠部４５の縁に沿う箇所に位置している。
【００２６】
突出部７０は、第１側板４４の通路形成面４４ａとの間に空隙がある中空形状になっている。換言すると、突出部７０は、第１側板４４の一部とともに第１側板４４の上下方向に立設された筒状をなしている。突出部７０は、上端が開放されている。また、突出部７０は、第１側板４４の上下方向の全域に亘って形成されている。突出部７０の肉厚は、全域に亘って略一定になっている。
【００２７】
図１に示すように、突出部７０における収容通路４０側の面である外周面７０ａは、第１側板４４の延設方向において切欠側開口４８ａの側から切欠部４５の側に向けて順に傾斜面７２、平行面７４、直交面７６となっている。傾斜面７２は、通路形成面４４ａから連続し第１側板４４の延設方向において切欠部４５の側へ向かうほど通路形成面４４ａから遠ざかるように傾斜している。平行面７４は、傾斜面７２における切欠部４５の側の端部から第１側板４４の延設方向に切欠部４５の側へ続いている。平行面７４は、通路形成面４４ａから第２側板４６の側に離れた位置で、通路形成面４４ａと平行に配置されている。直交面７６は、平行面７４における切欠部４５の側の端部から第１側板４４の側へ続いており、第１側板４４における切欠部４５の縁に繋がっている。直交面７６は、通路形成面４４ａに対して垂直になっている。これらの形状により、突出部７０は、第１側板４４の一部とともに略台形筒状をなしている。なお、突出部７０は、底板４２、第１側板４４、及び第２側板４６と一体成形されたものである。
【００２８】
上記のように構成されたプロテクタ本体３０の上側には、板状の蓋体２０が取り付けられる。蓋体２０は、平面視すると、プロテクタ本体３０における底板４２と略同一の略Ｌ字状になっている。また、蓋体２０におけるＬ字の外側の縁からは内側へと向かって四角形状の切欠部２２が切り欠かれている。切欠部２２は、蓋体２０をプロテクタ本体３０に取り付けたときに、プロテクタ本体３０における切欠部４５に対応する箇所に位置している。すなわち、蓋体２０をプロテクタ本体３０に取り付けた状態において、切欠部４５を閉じる位置まで枝線保持片６０を起こし上げても、同枝線保持片６０が蓋体２０に干渉しないようになっている。
【００２９】
次に、プロテクタ本体３０への幹線１００と枝線１１０の収容手順について説明する。まず、図４に示すように、枝線保持片６０を、収容通路４０に対して外側へ開いた状態とする。この後、幹線１００を第１側板４４及び第２側板４６の延設方向に沿って延びた状態として収容通路４０に収容する。また、切欠部４５を通じて枝線１１０を収容通路４０の外部に引き出すとともに、枝線１１０を枝線保持片６０の浅溝部６２ａ及び深溝部６４ａの上に配置する。
【００３０】
この後、幹線固定部５０のバンド取付部５２の貫通孔５２ａに締結バンド１２０を挿通するとともに、幹線固定部５０の外面５０ａと幹線１００の外周面とに締結バンド１２０を巻きつける。この後、図５の矢印Ｙ１で示すように、薄肉部４７を回動中心として切欠部４５を閉じる方向へ枝線保持片６０を起こし上げる。これにより、枝線１１０がプロテクタ本体３０の底板４２に対して立ち上がった状態となるように折り曲げられる。
【００３１】
次に、本実施形態の効果を説明する。
（１）幹線固定部５０は、切欠側開口４８ａにおける第１側板４４の側の下角部から突出している。したがって、上記収容手順において、幹線固定部５０と幹線１００とに締結バンド１２０を巻きつけると、幹線１００は、底板４２の上面と、第１側板４４の通路形成面４４ａに押し付けられた状態に拘束される。
【００３２】
ここで、仮に、プロテクタ本体３０が、通路形成面４４ａに突出部７０を備えていないものとする。この場合、図６に示すように、幹線固定部５０に巻きつけた締結バンド１２０により幹線１００を固定すると、幹線１００は通路形成面４４ａと接触した位置に維持されたまま、第１側板４４の延設方向に延びた状態となる。そのため、図６に示すように、幹線１００と切欠部４５との間にはスペースが生じないか仮に生じてもごく僅かである。したがって、枝線保持片６０を矢印Ｙ２で示すように切欠部４５を閉じる方向へ起こし上げたとき、枝線１１０は、図６の二点鎖線で示すように、切欠部４５を通じて収容通路４０の外側に張り出した位置で、上側へ向けて折れ曲がる。図６の二点鎖線で示す位置からさらに枝線保持片６０を起こし上げて枝線１１０を立ち上げた状態とするためには、切欠部４５を通じて収容通路４０の外側に張り出している枝線１１０を、収容通路４０内に無理やり押し込みながら枝線１１０を立ち上げることになるため、枝線１１０には大きな負担がかかる。
【００３３】
これに対して、通路形成面４４ａに突出部７０を備えた上記実施形態のワイヤハーネス用プロテクタ１０では、以下に説明するとおり、幹線１００と切欠部４５との間には枝線１１０の折り曲げスペースＫを確保できるため、枝線１１０に負担をかけることなく枝線保持片６０を起こし上げることができる。
【００３４】
具体的には、図４に示すように、幹線固定部５０と幹線１００とに締結バンド１２０を巻きつけると、幹線１００は次のような延び状態で固定される。幹線１００は、切欠側開口４８ａと突出部７０との間では、通路形成面４４ａに当接している。幹線１００は、突出部７０の傾斜面７２と対応する位置では、同傾斜面７２と当接することによって、徐々に通路形成面４４ａから離れた位置に案内される。そして、幹線１００は、突出部７０を挟んで切欠側開口４８ａとは反対側では、通路形成面４４ａから離れた位置を維持したまま、第１側板４４の延設方向に延びている。したがって、切欠部４５と幹線１００との間には、枝線１１０を上方へ折り曲げるための折り曲げスペースＫが確保される。このため、図５の矢印Ｙ１で示すように、切欠部４５を閉じる方向へ枝線保持片６０を起こし上げたとき、枝線１１０を無理なく上側へ折り曲げることができる。そして、折り曲げた枝線１１０に過度な負担をかけることなく、切欠部４５を閉じる位置まで枝線保持片６０を起こし上げることができる。
【００３５】
（２）幹線１００は、突出部７０に対して切欠部４５とは反対側となる切欠側開口４８ａの側で拘束されている。したがって、幹線１００は、突出部７０における切欠側開口４８ａの側で突出部７０に対して強く当接される。上記実施形態の突出部７０では、幹線１００が強く当接される側である切欠側開口４８ａの側の端部が傾斜面７２となっている。そのため、幹線１００と突出部７０とを面で当接させることができる。したがって、幹線１００が突出部７０の傾斜面７２に強く当接したとしても、幹線１００が傷付くことは抑制される。
【００３６】
（３）突出部７０は中空形状となっている。そのため、突出部７０の通路形成面４４ａからの突出量に比して突出部７０の肉厚を薄くできる。こうして突出部７０の肉厚を薄くすることで、製造時において突出部７０にひけが発生することを抑制できる。また、上記実施形態のように突出部７０を第１側板４４と一体的に形成した場合、突出部７０の肉厚が大きいと、第１側板４４にひけが生じることがある。第１側板４４にひけが生じると、外観を損なうだけでなく、第１側板４４を他の部品に取り付ける際の取り付け精度の低下にもつながりかねない。このような第１側板４４のひけを抑制するという観点からも、突出部７０を中空形状とすることは好適である。
【００３７】
（４）幹線固定部５０と幹線１００とに締結バンド１２０を巻きつけて幹線１００の移動を拘束した場合、その拘束力は幹線固定部５０からの距離が近いほど維持されやすい。その一方で、同拘束力は、幹線固定部５０から離れるほど弱まる。したがって、幹線１００は、幹線固定部５０からの距離が遠いほど移動する余地がある。
【００３８】
上記実施形態において、切欠部４５は、第１側板４４におけるその延設方向の両端のうち、幹線固定部５０が設けられている側の端部（切欠側開口４８ａ）に寄せて配置されている。そのため、切欠部４５が例えば第１側板４４の延設方向の中央に対して切欠側開口４８ａとは反対側に寄せて配置されている場合に比べて、切欠部４５に至る位置まで幹線１００に対する拘束力が維持されやすく、幹線１００は通路形成面４４ａから離れた位置に移動しにくい。こうした上記実施形態のような場合において、幹線固定部５０が設けられている側の端部（切欠側開口４８ａ）と切欠部４５との間に突出部７０を設けることで、効果的に幹線１００を通路形成面４４ａから離れた位置に配置できる。
【００３９】
（５）突出部７０は、通路形成面４４ａにおける上下方向の全域に亘って形成されている。そのため、突出部７０が幹線１００と接触可能となる高さの範囲が、第１側板４４の高さ全体となる。そのため、収容通路４０に収容される幹線１００の径や形状に拘らず、確実に突出部７０を幹線１００に当接させて、通路形成面４４ａと幹線１００との間のスペースを確保できる。
【００４０】
なお、上述の実施形態は以下のように変更して実施することもできる。
・上記実施形態における突出部７０は、幹線１００を通路形成面４４ａから離れた位置に配置できる形状であれば、適宜変更可能である。なお、突出部７０の形状は、例えば円弧状等、幹線１００と角で接触することが抑制できる形状であることが好ましい。
【００４１】
・上記実施形態では、突出部７０の上端が開放されていた。しかし、突出部７０は、その上端を閉じて、内部のみを中空としてもよい。
・上記実施形態では、突出部７０が中空とされていたが、突出部７０は中実形状であってもよい。特に、突出部７０は、例えばその成形時においてひけが生じない程度の突出量である場合には、中実形状にしても問題は生じない。
【００４２】
・上記実施形態における突出部７０は、必ずしも第１側板４４の高さ方向の全域に亘って形成されている必要はなく、第１側板４４の高さ方向の一部にのみ形成されていてもよい。例えば、収容通路４０に収容される幹線１００の径が予めわかっている場合、少なくとも収容通路４０に収容された状態の幹線１００の中心軸線と一致する高さ位置に突出部７０を形成しておけば、突出部７０は幹線１００に当接して幹線１００を通路形成面４４ａから離れた位置に配置できる。このように、第１側板４４の高さ方向における突出部７０の形成位置は、当該突出部７０が幹線と当接して同幹線１００を通路形成面４４ａから離して配置できるのであれば、幹線１００の径や形状等に応じて適宜変更できる。
【００４３】
・突出部７０と切欠部４５との位置関係は、上記実施形態のものに限らない。例えば、突出部７０は、第１側板４４の延設方向において、切欠部４５に対して切欠側開口４８ａとは反対側に配置してもよい。突出部７０を切欠部４５に対して切欠側開口４８ａとは反対側に配置する場合、突出部７０は、通路形成面４４ａのうち、第１側板４４の延設方向に関して切欠部４５と同一直線上となる箇所に形成することが好ましい。こうした箇所に突出部７０を配置することによって、切欠部４５と幹線１００との間に枝線１１０の折り曲げスペースＫを確保しやすくなる。
【００４４】
・また、突出部７０は、１つのみに限らず、複数設けてもよい。例えば、第１側板４４の延設方向において、切欠部４５を挟んで両側に１つずつ設けてもよい。
・突出部７０は、底板４２、第１側板４４、及び第２側板４６と一体成形するのではなく、これらとは別に突出部７０それ単品で成形し、後で第１側板４４に取り付けてもよい。
【００４５】
・幹線１００から分岐する枝線１１０の一部が、プロテクタ本体３０の収容通路４０内を延びていてもよい。すなわち、枝線１１０が、プロテクタ本体３０の切欠部４５から離れた箇所で幹線１００から分岐しており、その分岐箇所から切欠部４５までが収容通路４０に収容されていてもよい。なお、この場合、収容通路４０を延びる枝線１１０に当接しないような位置に突出部７０を設けることが好ましい。
【００４６】
・上記実施形態では、切欠部４５が、第１側板４４における、切欠側開口４８ａとなっている端部の側に寄せて配置されていた。しかし、切欠部４５は、第１側板４４における、切欠側開口４８ａとなっている端部とは反対側の端部に寄せて配置してもよい。また、第１側板４４の延設方向における中央に切欠部４５を配置してもよい。
【００４７】
・切欠部４５は、第１側板４４の上端から切り欠かれており、かつ、枝線１１０を収容通路４０から引き出すことができれば、その形状を上記実施形態に示したものから適宜変更可能である。例えば、切欠部４５は、第１側板４４の下端にまで至っていなくてもよい。切欠部４５の形状に合わせて、同切欠部４５を開閉できるように、枝線保持片６０の形状を変更すればよい。
【００４８】
・枝線保持片６０は、枝線１１０を保持できれば、その形状を上記実施形態に示したものから適宜変更可能である。
・枝線保持片６０を回動可能とする構成は薄肉部４７に限らない。例えば、枝線保持片６０は、回転軸によって軸支することによって、切欠部４５の下端部に対応する位置に連結してもよい。さらに、枝線保持片６０を省略して、枝線１１０を直接折り曲げるようにしてもよい。
【００４９】
・底板４２、第１側板４４、及び第２側板４６は、幹線１００を収容するための収容通路４０を区画でき、かつ、上記実施形態と同様に機能するように突出部７０を設置できれば、これらの形状を上記実施形態に示したものから適宜変更可能である。
【００５０】
・幹線固定部５０は、同幹線固定部５０と幹線１００とに締結バンド１２０を巻きつけることで幹線１００を通路形成面４４ａに押し付けた状態に拘束できれば、その形状を上記実施形態に示したものから適宜変更可能である。
【００５１】
・また、幹線固定部５０及び締結バンド１２０を省略してもよい。なお、このように締結バンド１２０を省略した場合でも、収容通路４０から切欠側開口４８ａを介して外部に引き出されている幹線１００は、他の部材等に接続されて固定されている。そのため、締結バンド１２０によって固定されていなくても、幹線１００は、切欠側開口４８ａ側ほど移動が拘束されている蓋然性が高い。
【００５２】
・上記実施形態において、蓋体２０は必須ではない。収容通路４０内に収容された幹線１００がはみ出したりしにくいのであれば、蓋体２０を省略しても差し支えない。
【符号の説明】
【００５３】
１０…ワイヤハーネス用プロテクタ、４０…収容通路、４２…底板、４４…第１側板、４４ａ…通路形成面、４５…切欠部、４６…第２側板、４８ａ…切欠側開口、７０…突出部、７２…傾斜面、１００…幹線、１１０…枝線。
【図１】
2018191378.tif 000003
【図２】
2018191378.tif 000004
【図３】
2018191378.tif 000005
【図４】
2018191378.tif 000006
【図５】
2018191378.tif 000007
【図６】
2018191378.tif 000008